(57)【特許請求の範囲】
【請求項１】
所定の回転軸を中心に回転する基板保持部に保持された板状基板の表面に処理液を供給する処理液供給機構を備え、前記処理液により前記板状基板の表面を処理する基板処理装置であって、
前記基板保持部に保持された前記板状基板の表面に対して所定の間隔をもって対向配置され、前記板状基板の表面との間に処理液を保持する処理液保持プレートと、
前記処理液保持プレートにおける、前記基板保持部の前記回転軸に対応する位置を含む所定領域全体に接して当該所定領域を加熱する加熱部とを有し、
前記処理液供給機構は、前記基板保持部とともに回転する状態の前記板状基板の表面と、前記加熱部により加熱される処理液保持プレートとの間の隙間に前記処理液を供給する基板処理装置。
【請求項２】
前記処理液供給機構は、前記処理液保持プレートにおける、前記加熱部の接していない部分を貫通して前記処理液を前記板状基板の表面と前記処理液保持プレートとの間の隙間に供給する請求項１記載の基板処理装置。
【請求項３】
前記加熱部は、前記処理液保持プレートの前記板状基板に対向する面と逆側の面に当接するように設けられたシート状ヒータを有し、
該シート状ヒータには前記基板保持部の前記回転軸からずれた位置に孔が形成され、
前記処理液供給機構は、前記シート状ヒータの前記孔を通して前記板状基板の表面と前記処理液保持プレートとの間の隙間に前記処理液を供給する請求項１または２記載の基板処理装置。
【請求項４】
前記処理液供給機構は、前記処理液保持プレートにおける、前記基板保持部の前記回転軸に対応する位置からずれた位置を貫通して前記板状基板の表面と前記処理液保持プレートとの間の隙間に前記処理液を供給する請求項１乃至３のいずれかに記載の基板処理装置。
【請求項５】
前記処理液保持プレートは、前記板状基板の表面を覆うことが可能なプレート本体と、
該プレート本体の周縁に前記基板保持部側に突出するように形成された壁部とを有し、
前記壁部の先端が前記処理液保持プレートを横切る方向に傾斜している請求項１乃至４のいずれかに記載の基板処理装置。
【請求項６】
前記処理液保持プレート内に、当該処理液保持プレートの前記板状基板の表面に対向する面に沿って延びて該面の所定位置にて開口する流路が形成され、
前記処理液供給機構からの前記処理液が前記流路を通って当該処理液保持プレートと前記板状基板の表面との間の隙間に供給される請求項１乃至５のいずれかに記載の基板処理装置。
【請求項７】
前記流路は、前記処理液保持プレート内で渦巻状に形成された請求項６記載の基板処理装置。
【請求項８】
前記流路は、前記加熱部の加熱によって生ずる前記処理液保持プレートの面内での温度分布に従って決められた加熱され易い領域に沿って形成された請求項６記載の基板処理装置。
【請求項９】
前記加熱部は、発熱量を個々的に制御可能な複数の個別加熱部により形成された請求項１乃至８のいずれかに記載の基板処理装置。
【請求項１０】
前記シート状ヒータは、前記処理液保持プレートの前記板状基板に対向する面と逆側の面に同心状に配置される発熱量を個々的に制御可能な複数のヒータ部を有する請求項３記載の基板処理装置。
【請求項１１】
前記処理液保持プレートの前記板状基板に対向する面には、該面にて開口して当該処理液保持プレートの側面に抜ける複数の溝が形成された請求項１乃至１０のいずれかに記載の基板処理装置。
【請求項１２】
前記複数の溝の少なくとも１つの底部に、溝幅より広い幅の通路が形成された請求項１１記載の基板処理装置。
【請求項１３】
前記複数の溝の少なくとも１つの前記処理液保持プレートの前記板状基板に対向する面での開口部が、溝幅より広い幅の凹部として形成された請求項１１または１２記載の基板処理装置。
【請求項１４】
前記処理液保持プレートの前記板状基板に対向する面には、複数の凹部が形成された請求項１乃至１３のいずれかに記載の基板処理装置。
【請求項１５】
前記処理液供給機構は、前記処理液の全部または一部が流れ、前記処理液保持プレートを加熱する加熱部からの熱にて加熱される流路を有する請求項１乃至１４のいずれかに記載の基板処理装置。
【請求項１６】
請求項１乃至１５のいずれかに記載の基板処理装置を用い、
前記処理液供給機構から前記基板保持部とともに回転する状態の前記板状基板の表面と、前記処理液保持プレートとの間の隙間に処理液を供給する処理液供給ステップと、
前記板状基板の表面と前記加熱部によって加熱される前記処理液保持プレートとの間の隙間に前記処理液を保持する処理液保持ステップとを有する基板処理方法。
【請求項１７】
前記処理液保持ステップは、前記処理液供給機構からの前記処理液の供給を継続させつつ実行される請求項１６記載の基板処理方法。
【請求項１８】
前記処理液保持ステップは、前記処理液供給機構からの前記処理液の供給を継続させることなく実行される請求項１６記載の基板処理方法。
【発明の詳細な説明】
【技術分野】
【０００１】
本発明は、半導体ウェーハ等の板状基板の表面を処理液にて処理する基板処理装置及び基板処理方法に関する。
【背景技術】
【０００２】
従来、半導体ウェーハの表面に形成されたレジストを例えば硫酸と過酸化水素水とを混ぜあわせてできる処理液にて除去する基板処理装置が提案されている（特許文献１参照）。この基板処理装置では、ヒータが埋設された保持プレート上に保持された半導体ウェーハの表面に処理液が吹きかけられるようになっている。このように加熱された半導体ウェーハの表面に処理液が供給されるので、処理液が半導体ウェーハを介して加熱されてそのレジスト除去能力を高めることができ、結果として、半導体ウェーハの表面からレジストを確実に除去することができるようになる。
【先行技術文献】
【特許文献】
【０００３】
【特許文献１】特開２００８−６６４００号公報
【発明の開示】
【発明が解決しようとする課題】
【０００４】
しかしながら、前述した従来の基板処理装置では、加熱される半導体ウェーハに処理液が単に吹きつけられるだけなので、処理液の加熱効率が悪く、また、処理液の利用効率も悪い。【０００５】
本発明は、このような事情に鑑みてなされたもので、処理液をより効率的に加熱しつつ効率的に使用して板状基板の表面を処理することができる基板処理装置及び基板処理方法を提供するものである。
【課題を解決するための手段】
【０００６】
本発明に係る基板処理装置は、所定の回転軸を中心に回転する基板保持部に保持された板状基板の表面に処理液を供給する処理液供給機構を備え、前記処理液により前記板状基板の表面を処理する基板処理装置であって、
前記基板保持部に保持された前記板状基板の表面に対して所定の間隔をもって対向配置され、前記板状基板の表面との間に処理液を保持する処理液保持プレートと、
前記処理液保持プレートにおける、前記基板保持部の前記回転軸に対応する位置を含む所定領域に接して当該所定領域を加熱する加熱部とを有し、
前記処理液供給機構は、前記基板保持部とともに回転する状態の前記板状基板の表面と、前記加熱部により加熱される処理液保持プレートとの間の隙間に前記処理液を供給する構成となる。
【０００７】
本発明に係る基板処理方法は、前述した基板処理装置を用い、
前記処理液供給機構から前記基板保持部とともに回転する状態の前記板状基板の表面と、前記処理液保持プレートとの間の隙間に処理液を供給する処理液供給ステップと、
前記板状基板の表面と前記加熱部によって加熱される前記処理液保持プレートとの間の隙間に前記処理液を保持する処理液保持ステップとを有する構成となる。
【発明の効果】
【０００８】
本発明の基板処理装置及び基板処理方法によれば、加熱部により加熱される処理液保持
プレートによって加熱される処理液が当該処理液保持プレートと回転する板状基板との間
に層状に維持され、その加熱されつつ層状に維持された処理液によって板状基板の表面が
処理されるので、処理液を無駄なく効率的に使用して当該板状基板の表面を処理すること
ができるようになる。そして、加熱部が処理液保持プレートの基板保持部の回転軸に対応する位置を含む所定領域に接しているので、処理液保持プレートと板状基板の表面との間に保持される処理液の温度を、回転軸近辺の中心部とその他の部分とで均一化させることができる。
【図面の簡単な説明】
【０００９】
【図１】本発明の実施の第１の形態に係る基板処理装置の構成を示す図である。
【図２】図１に示す基板処理装置に用いられる基板保持プレートの図１の矢印Ｘに示す方向から見た構造を示す平面図である。
【図３Ａ】図１に示す基板処理装置の動作手順を示すフローチャート（その１）である。
【図３Ｂ】図１に示す基板処理装置の動作手順を示すフローチャート（その２）である。
【図４】図１に示す基板処理装置における処理液保持プレートの上昇動作を示す図である。
【図５】図１に示す基板処理装置における半導体ウェーハの搬入を示す図である。
【図６】図１に示す基板処理装置における処理液保持プレートの下降動作を示す図である。
【図７】図１に示す基板処理装置における基板保持プレートの回転動作を示す図である。
【図８】図１に示す基板処理装置における処理液の供給動作を示す図である。
【図９】基板処理装置の動作手順の他の例を示すフローチャートである。
【図１０】本発明の第２の実施の形態に係る基板処理装置の構成を示す図である。
【図１１】基板保持プレートに保持された半導体ウェーハの表面に対向して配置される処理液保持プレートの第１変形例を示す断面図である。
【図１２】前記処理液保持プレートの第１変形例を示す斜視図である。
【図１３】処理液保持プレートの第２変形例を示す断面図である。
【図１４】処理液保持プレートの前記第２変形例を示す平面図（図１３の矢印Ｙから見た図）である。
【図１５】処理液保持プレートの第３変形例を示す拡大断面図である。
【図１６】処理液保持プレートの前記第３変形例を示す平面図（図１５の矢印Ｚの方向から見た図）である。
【図１７】処理液保持プレートの第４変形例を示す拡大断面図である。
【図１８】処理液保持プレートの第５変形例を示す拡大断面図である。
【図１９】処理液保持プレートの基板保持プレートに保持された半導体ウェーハの表面に対向する面と逆側の面に設けられるシート状ヒータの変形例を示す断面図である。
【発明を実施するための形態】
【００１０】
以下、本発明の実施の形態について、図面を用いて説明する。
【００１１】
本発明の第１の実施の形態に係る基板処理装置は図１に示すように構成される。この基板処理装置は、板状基板としての半導体ウェーハ（以下、単にウェーハという）の表面に形成されたレジストの除去処理を行うものである。
【００１２】
図１において、この基板処理装置は、処理対象となるウェーハ１００を保持する基板保持プレート１０（基板保持部）と、この基板保持プレート１０に対向して配置される処理液保持プレート１５とを有している。基板保持プレート１０は、回転機構３０によって回転軸Ｃを中心に回転可能な構造となっている。基板保持プレート１０の表面には複数の支持ピン１１が設けられており、ウェーハ１００は、その周囲部分がこれら複数の支持ピン１１にて支持されるようにして基板保持プレート１０に保持される。また、処理液保持プレート１５は、昇降機構４０によって、昇降動作可能な構造となっている。処理液保持プレート１５は、後述する処理液に耐性を有する材料（例えば、水晶材）にて形成され、図１とともに、図２（基板保持プレート１０の図１の矢印Ｘに示す方向から見た構造を示す）に示すように、周辺部に基板保持プレート１０と逆側に立ち上がる壁の形成された円形盆状の形状となっている。処理液保持プレート１５の基板保持プレート１０に対向する面と逆側の面には、円形シート状のヒータ２０（加熱部）が貼り付けられている。円形シート状のヒータ２０には、後述する処理液供給管５５を通すための円形の孔２０ａが形成されている。この円形の孔２０ａは、その中心が、基板保持プレート１０の回転軸Ｃからずれたものとなっている。
【００１３】
また、この基板処理装置は、処理液供給機構５０を有している。処理液供給機構５０は、処理液を貯留する４つの処理液槽５１ａ、５１ｂ、５１ｃ、５１ｄを有している。処理液槽５１ａには硫酸（Ｈ2ＳＯ4）が、処理液槽５１ｂには過酸化水素水（Ｈ2Ｏ2）が、処理液槽５１ｃには純水（Ｈ2Ｏ）が、処理液槽５１ｄにはアンモニア水（ＮＨ3）が、それぞれ貯留されている。各処理液槽５１ａ、５１ｂ、５１ｃ、５１ｃからは個別送通管５４ａ、５４ｂ、５４ｃ、５４ｄが延びており、それら個別送通管５４ａ、５４ｂ、５４ｃ、５４ｄが並列的に処理液供給管５５に結合されている。処理液供給管５５は、ヒータ２０の孔２０ａから処理液保持プレート１５の前記孔２０ａに対向する位置に形成された孔を通って、その先端部が基板保持プレート１０に対向する面側から露出している（図１及び図２参照）。これにより、処理液供給管５５を通った処理液は、ウェーハ１００の表面に供給されるようになる。
【００１４】
各個別送通管５４ａ、５４ｂ、５４ｃ、５４ｄには、流量調整バルブ５２ａ、５２ｂ、５２ｃ、５２ｄと、流量計５３ａ、５３ｂ、５３ｃ、５３ｄとが設けられている。各流量調整バルブ５２ａ、５２ｂ、５２ｃ、５２ｄを調整することにより、対応する処理液槽５１ａ、５１ｂ、５１ｃ、５１ｄから処理液供給管５５に流れ込む処理液の量を調整することができる。また、そのときに各個別送通管５４ａ、５４ｂ、５４ｃ、５４ｄを流れる処理液の量が対応する流量計５３ａ、５３ｂ、５３ｃ、５３ｄに表れる。
【００１５】
なお、図示しないが、前述した構成の基板処理装置は、回転機構３０、昇降機構４０、流量調整バルブ５２ａ、５２ｂ、５２ｃ、５２ｄ及びヒータ２０の動作を制御する制御装置を有している。
【００１６】
この基板処理装置では、次のようにしてウェーハ１００に対する処理がなされる。
【００１７】
円形シート状のヒータ２０が通電される。この通電されたヒータ２０によって処理液保持プレート１５の基板保持プレート１０に対向する面と逆側の面が均等に加熱され、処理液保持プレート１５の全体が所定温度（例えば、温度範囲１００℃〜４００℃内の温度）に保持される。この状態で、図３Ａ及び図３Ｂに示す手順に従って動作がなされる。
【００１８】
図４に示すように、処理液保持プレート１５が最上位点まで上昇され、この処理液保持プレート１５と基板保持プレート１０との間に搬入された処理対象のウェーハ１００が、図５に示すように、その周囲部分が複数の支持ピン１１に支持されるようにして基板保持プレート１０上に保持される（Ｓ１１）。このとき、ウェーハ１００の中心と基板保持プレート１０の回転軸Ｃとが合致するように位置決めされる。
【００１９】
次いで、処理液保持プレート１５が、図６に示すように、基板保持プレート１０上に保持されたウェーハ１００の表面との間に所定の隙間（例えば、４ｍｍ以下）が形成される位置まで下降する（Ｓ１２）。そして、図７に示すように、基板保持プレート１０が比較的低速な所定速度（例えば、５０ｒｐｍ程度）にて回転される。これにより、ウェーハ１００が基板保持プレート１０とともに前記所定速度にて回転する（Ｓ１３）。
【００２０】
処理液保持プレート１５がウェーハ１００の表面に対して所定間隔をもって対向配置されて、ウェーハ１００が比較的低速の所定速度で回転する状態において、処理液供給管５５から処理液が、処理液保持プレート１５とウェーハ１００の表面との間の隙間に供給される（Ｓ１４）。具体的には、流量調整バルブ５２ｃ、５２ｄが閉鎖された状態で、流量調整バルブ５２ａ、５２ｂの開度が調整され、処理液槽５１ａからの硫酸（Ｈ2ＳＯ4）が流量調整バルブ５２ａの開度に応じた流量にて個別送通管５４ａを通って、また、処理液槽５１ｂからの過酸化水素水（Ｈ2Ｏ2）が流量調整バルブ５２ｂの開度に応じた流量にて個別送通管５４ｂを通って、処理液供給管５５に流入する。これにより、硫酸（Ｈ2ＳＯ4）と過酸化水素水（Ｈ2Ｏ2）とが混ぜ合わされてできる処理液Ｓが処理液供給管５５を通って処理液保持プレート１５とウェーハ１００の表面との間の隙間に供給される。
【００２１】
回転するウェーハ１００の表面に処理液Ｓが供給されると、その処理液Ｓがウェーハ１００の外周方向に向けて順次移動する。そして、図８に示すように、処理液保持プレート１５とウェーハ１００の表面との間の隙間に処理液Ｓが満たされて、処理液Ｓの表面張力によってウェーハ１００の表面に層状の処理液Ｓが保持される。このように、処理液保持プレート１５とウェーハ１００の表面との間に層状に保持される処理液Ｓは、ヒータ２０によって加熱される処理液保持プレート１５によって全体的に加熱されて高温（例えば、温度範囲１００℃〜４００℃内の温度）に維持される。そして、この高温に維持されてレジスト除去能力の高められた処理液Ｓ（硫酸（Ｈ2ＳＯ4）と過酸化水素水（Ｈ2Ｏ2）とを混ぜ合わせてできる）によってウェーハ１００の表面に形成されたレジストが除去されていく。この状態で、処理液Ｓが処理液供給管５５から連続的に供給されると、ウェーハ１００の表面の処理液Ｓが新たな処理液Ｓにて置換されつつ層状の形態を維持し、レジストの溶解した処理液Ｓが回転するウェーハ１００の外周部分から順次廃液として排出されていく（処理液の排出機構については図示略）。
【００２２】
図３Ａに戻り、上記のようにして、処理液Ｓが供給されつつウェーハ１００の表面の処理（レジスト除去処理）がなされ、所定の処理時間が経過すると、流量調整バルブ５２ａ、５２ｂが閉鎖され、処理液槽５１ａからの硫酸（Ｈ2ＳＯ4）、及び処理液槽５１ｂからの過酸化水素水（Ｈ2Ｏ2）の供給が止められる（Ｓ１５）。その後、流量調整バルブ５２ｃの開度が調整されて、処理液槽５１ｃからの純水（Ｈ2Ｏ）が流量調整バルブ５２ｃの開度に応じた流量にて個別送通管５４ｃを通って処理液供給管５５に流入する（Ｓ１６）。これにより、前記処理液Ｓに代えて、純水（Ｈ2Ｏ）が処理液供給管５５からウェーハ１００の表面に連続的に供給され、ウェーハ１００の表面が、供給される純水（Ｈ2Ｏ）によって洗浄される（洗浄処理１）。そして、ウェーハ１００の表面の純水（Ｈ2Ｏ）による洗浄が所定時間なされると、流量調整バルブ５１ｃが閉鎖され（Ｓ１７）、純水（Ｈ2Ｏ）によるウェーハ１００の表面の洗浄が終了する。
【００２３】
次に、流量調整バルブ５２ｂ、５２ｃ、５２ｄの開度が調整されて、処理液槽５１ｂからの過酸化水素水（Ｈ2Ｏ2）が流量調整バルブ５２ｂの開度に応じた流量にて個別送通管５４ｂを通って、処理液槽５１ｃからの純水（Ｈ2Ｏ）が流量調整バルブ５２ｃの開度に応じた流量にて個別送通管５４ｃを通って、また、処理液槽５１ｄからのアンモニア水（ＮＨ3）が流量バルブ５２ｄの開度に応じた流量にて個別送通管５４ｄを通って、処理液供給管５５に流入する。これにより、過酸化水素水（Ｈ2Ｏ2）、純水（Ｈ2Ｏ）及びアンモニア（ＮＨ3）を混ぜ合わせてできるアルカリ性の処理液ＡＰＭが処理液供給管５５を通って処理液保持プレート１５とウェーハ１００の表面との間の隙間に供給され（Ｓ１８）、供給される処理液ＡＰＭによってウェーハ１００の表面の酸性残留物が中和され、ウェーハ１００の表面の洗浄がなされる（洗浄処理２）。そして、ウェーハ１００の表面の処理液ＡＰＭによる洗浄が所定時間なされると、流量調整バルブ５２ｂ、５２ｃ、５２ｄが閉鎖され（Ｓ１９）、処理液ＡＰＭによるウェーハ１００の表面の洗浄が終了する。
【００２４】
その後、再度、流量調整バルブ５２ｃの開度が調整されて、処理液槽５１ｃからの純水（Ｈ2Ｏ）が流量調整バルブ５２ｃの開度に応じた流量にて個別送通管５４ｃを通って処理液供給管５５に流入する（Ｓ２０）。これにより、純水（Ｈ2Ｏ）が処理液供給管５５からウェーハ１００の表面に連続的に供給され、ウェーハ１００の表面が、供給される純水（Ｈ2Ｏ）によって再度洗浄される（洗浄処理３）。そして、ウェーハ１００の表面の純水（Ｈ2Ｏ）による洗浄が所定時間なされると、流量調整バルブ５１ｃが閉鎖され（Ｓ２１）、純水（Ｈ2Ｏ）によるウェーハ１００の表面の洗浄が終了する。
【００２５】
このようにして各洗浄処理１、２、３が終了すると、処理液保持プレート１５が最上位点まで上昇された（Ｓ２２：図５参照）後に、図３Ｂに示す手順に従って処理が継続される。即ち、基板保持プレート１０が高速（例えば、１５００ｒｐｍ程度）にて回転される。これにより、ウェーハ１００が基板保持プレート１０とともに高速に回転する（Ｓ２３）。このようにウェーハ１００が高速に回転すると、ウェーハ１００上に残留した水分が遠心力によって飛散され、ウェーハ１００上の水分が除去される（乾燥処理）。
【００２６】
前記ウェーハ１００の乾燥処理が所定時間なされると、基板保持プレート１０の回転が停止され（Ｓ２４）、基板保持プレート１０上に保持された処理済みのウェーハ１００が搬出される（Ｓ２５）。以後、順次供給されるウェーハ１００に対して前述したのと同様の手順（図３Ａ及び図３Ｂ参照）に従って、処理がなされる。
【００２７】
前述したような基板処理装置によれば、基板保持プレート１０上に保持されたウェーハ１００の表面に処理液Ｓが層状に保持され、その層状の処理液Ｓが全体的に円形シート状のヒータ２０によって均等に加熱される処理液保持プレート１５によって加熱されるので、処理液Ｓをより効率的に加熱することができる。また、その加熱される層状の処理液Ｓがウェーハ１００の表面に常に保持された状態でウェーハ１００の表面が処理されるようになるので、その処理液Ｓを無駄なく効率的に使用してウェーハ１００の表面を処理することができようになる。
【００２８】
また、ヒータ２０に設けた円形の孔２０ａは、その中心が、基板保持プレート１０の回転軸Ｃからずれた位置（偏心）に設けたものとなっている。これにより、処理液保持プレート１５とウェーハ１００の表面との間に層状に保持される処理液Ｓの温度を、回転軸Ｃ近辺の中心部とその他の部分とでより均一化させることができる。つまり、孔２０ａが回転軸上に配置されると、常にウェーハ１００の同じ箇所（中心部分）が孔２０ａに対向することになるが、孔２０ａが基板処理プレート１０（ウェーハ１００）に対して偏心した位置に形成されていると、ウェーハ１００の回転に伴ってウェーハ１００における孔２０ａとの対向部分が逐次変化するから、処理液Ｓの温度の均一化を図ることができる。
【００２９】
なお、前述した基板処理装置では、レジスト除去処理（図３ＡにおけるＳ１４、Ｓ１５参照）を行った後に、純水での洗浄処理１（図３ＡにおけるＳ１６、Ｓ１７参照）、ＡＰＭでの洗浄処理２（図３ＡにおけるＳ１８、Ｓ１９参照）、更に、純水での洗浄処理３（図３ＡにおけるＳ２０、Ｓ２１参照）の３回の洗浄処理がなされたが、ＡＰＭの洗浄処理２及び１回分の純水での洗浄処理３を省くこともできる。この場合、図９に示すように、レジスト除去処理（Ｓ１４、Ｓ１５）が終了した後に、純水での洗浄処理（Ｓ１６、１７参照）が１回だけ行われる。その後、処理液保持プレート１５が最上位点まで上昇されて（Ｓ２２）、乾燥処理（Ｓ２３）が所定時間なされる。そして、その乾燥処理が終了した後に、ウェーハ１００の回転が停止されて（Ｓ２４）、ウェーハ１００が搬出される（Ｓ２５）。
【００３０】
前述したレジスト除去処理（図３及び図９におけるＳ１４参照）では、ウェーハ１００の表面と処理液保持プレート１５との間に処理液Ｓが保持された状態で、処理液供給管５５を通して処理液Ｓが連続的に供給される。この場合、前述したように、ウェーハ１００の表面の処理液Ｓが新たな処理液Ｓにて置換されつつ層状の形態を維持し、レジストの溶解した処理液Ｓが回転するウェーハ１００の外周部分から順次廃液として排出されていくものであった。処理液Ｓによるウェーハ１００（板状基板）の表面の処理は、これに限られず、ウェーハ１００の表面と処理液保持プレート１５との間に処理液Ｓが保持された状態で、処理液供給管５５を通した処理液Ｓの供給を止めることもできる。例えば、所定温度を超えると急激に処理能力を高める特性の処理液を用いる場合等では、ウェーハ１００の表面と処理液保持プレート１５との間に処理液Ｓが保持された状態で処理液供給管５５を通した処理液Ｓの供給を止めることが好ましい。この場合、処理液Ｓの新たな供給が止められて、ウェーハ１００の表面上に処理液Ｓが置換されずに留めおかれ、その間加熱される処理液Ｓが前記所定温度を超えるとウェーハ１００の表面がその所定温度を超えて比較的高温となった処理液により処理される。例えば、処理液としてリン酸を用い、ウェーハ１００の表面に形成された窒化膜をエッチング（除去）する場合、このような手法をとることが好ましい。この手法では、例えば、所定温度を超えた処理液Ｓにてウェーハ１００の必要な処理が完了すると見込まれる時間だけ処理液Ｓの供給を停止させることができ、また、温度計等を利用した温度管理に従って処理液Ｓの供給を停止させることができる。
【００３１】
本発明の第２の実施の形態に係る基板処理装置は、図１０に示すように構成される。この処理装置では、硫酸（Ｈ2ＳＯ4）を貯留する処理液槽５１ａから延びる個別送通管５４ａが、処理液保持プレート１５に設けられた円形シート状のヒータ２０に当接配置される加熱送通管部分５４ａａを有している。処理液槽５１ａから流出して個別送通管５４ａを通る硫酸（Ｈ2ＳＯ4）は、加熱送通管部分５４ａａを通過する際にヒータ２０によって加熱され、高温になった状態で、処理液供給管５５に流入する。なお、他の構成は、図１に示す本発明の第１の実施の形態に係る基板処理装置と同じである。
【００３２】
このような基板処理装置によれば、硫酸（Ｈ2ＳＯ4）が処理液保持プレート１５に設けられたヒータ２０によって加熱された状態で、処理液供給管５５内において過酸化水素水（Ｈ2Ｏ2）と混ぜ合わされて処理液Ｓが生成されるので、比較的高い温度の処理液Ｓが処理液保持プレート１５とウェーハ１００の表面との間の隙間に供給されるようになる。そして、その比較的高い温度の処理液Ｓが、処理液保持プレート１５とウェーハ１００の表面との間で層状に保持されて、処理液保持プレート１５によって再度加熱されるようになる。従って、他の加熱手段を別途設けることなく、処理液Ｓを更に効率的に加熱することができるようになる。
【００３３】
処理液保持プレート１５の変形例について説明する。
【００３４】
処理液保持プレート１５の第１変形例が図１１及び図１２に示される。
【００３５】
図１１及び図１２において、この処理液保持プレート１５は、プレート本体１５１とプレート本体１５１の周縁に基板保持プレート１０側に突出するように形成された壁部１５２とを有する構造となっている。プレート本体１５１は、前述した処理液保持プレート（図１及び図２参照）と同様に、円形盆状となって、基板保持プレート１０に対向する面と逆側の面に円形シート状のヒータ２０が貼り付けられている。そして、ヒータ２０に形成された孔２０ａ及びその孔２０ａに対応してプレート本体１５１に形成された孔を処理液供給管５５が貫通している。プレート本体１５１の基板保持プレート１０に対向する面は、ウェーハ１００の表面、更には、基板保持プレート１０の面を覆うことが可能なサイズになって、プレート本体１５の周縁がウェーハ１００の周縁及び基板保持プレート１０の周縁の外側に位置するようになっている。
【００３６】
また、プレート本体１５１の周縁に形成された壁部１５２は、その先端が当該処理液保持プレート１５を横切る方向（図１１において左右方向）に傾斜するように形成されている。具体的には、図１１における右側から左側に向かって壁部１５２が徐々に高くなるようにその先端が傾斜している。
【００３７】
このような構造の処理液保持プレート１５によれば、例えば、前述した洗浄処理３（図３Ａ参照）や洗浄処理（図９参照）が終了した場合や、レジスト除去処理の過程で何らかの理由により、処理液保持プレート１５を上昇させた際に、加熱温度が比較的低くて蒸発し難い処理液保持プレート１５の周縁に付着した純水や処理液Ｓが、傾斜する壁部１５２の先端を伝って処理液保持プレート１５の一方の側に集まる。そして、その純水や処理液Ｓの液滴がウェーハ１００の周縁や基板保持プレート１０の周縁より外側に滴下する。これにより、基板保持プレート１０やそれに保持されたウェーハ１００に純水や処理液Ｓが滴下することを防止することができる。更に、処理液保持プレート１５が上昇した状態で、処理液保持プレート１５と基板保持プレート１０との間に進入したロボットアームに処理液保持プレート１５から滴下した純水や処理液Ｓが付着することを防止することもできる。即ち、プレート１５の一方側に処理液Ｓや純水を集めることで、処理液が集まる方向と逆方向（プレート１５の他方）からロボットアームを進入させる構造にすれば、該ロボットアームに処理液が付着することを防止することができる。
【００３８】
処理液保持プレート１５の第２変形例が図１３及び図１４に示される。なお、図１３は、図１４に示す処理液保持プレート１５のＡ−Ａ´線での断面を示している。
【００３９】
図１３及び図１４（図１３の矢印Ｙの方向から見た図）において、円形シート状のヒータ２０の周縁に近い所定部位に孔２０ａが形成され、その孔２０ａを通して処理液供給管５５が処理液保持プレート１５に挿入されている。処理液保持プレート１５には、ウェーハ１０の表面に対向する面に沿って延びる流路１５３が形成されている。処理液保持プレート１５におけるウェーハ１０の表面に対向する面の略中央には開口１５３ａが形成され、流路１５３は、処理液供給管５５の先端から渦巻状に延びて開口１５３ａに至っている。
【００４０】
このような構造の処理液保持プレート１５によれば、処理液供給管５５を流れてきた処理液Ｓが処理液保持プレート１５内に渦巻状に形成された流路１５３を通っている間に加熱され、その加熱されて比較的高い温度になった処理液Ｓが流路１５３の開口１５３ａからウェーハ１００の表面と処理液保持プレート１５との間に供給される。そのため、より高い温度の処理液Ｓを処理液保持プレート１５とウェーハ１００との間に層状に維持させることができるようになる。
【００４１】
円形シート状のヒータ２０が面全体から均一に発熱するものでなく、例えば、線状の発熱体が所定の形状に配置される構造である場合、そのヒータ２０によって加熱される処理液保持プレート１５の面内での温度分布は、ヒータ２０における前記線状の発熱体の配置形状に対応したものとなる。このような場合、前述した流路１５３は、処理液保持プレート１５の面内での温度分布に従って決められた加熱され易い領域に沿って（例えば、ヒータ２０における線状の発熱体の配置形状に対応させて）形成することもできる。この場合、処理液保持プレート１５における加熱され易い領域が流路１５３を流れる処理液Ｓによって冷却される（処理液Ｓが加熱される）ようになるので、ヒータ２０によって加熱される処理液保持プレート１５の面内での温度分布がより均一なものになり得る。その結果、ウェーハ１００の表面と処理液保持プレート１５との間に層状に維持される処理液Ｓの温度分布もより均一なものとなり得る。
【００４２】
処理液保持プレート１５の第３変形例が図１５及び図１６（図１５の矢印Ｚの方向から見た図）に示される。なお、図１５は、図１６に示す処理液保持プレート１５のＡ−Ａ´線での断面を示している。
【００４３】
図１５及び図１６において、処理液保持プレート１５のウェーハ１００の表面に対向する面に、該面にて開口して当該処理液保持プレート１５の周側面１５６に抜ける複数の溝１５５が形成されている。これら複数の溝１５５は、図１６に示すように、処理液保持プレート１５の当該面に縦・横の格子状に配置されている。
【００４４】
このような構造の処理液保持プレート１５によれば、円形シート状のヒータ２０により加熱される処理液保持プレート１５のウェーハ１００の表面に対向する面に接する処理液Ｓが気化して気体が発生しても、処理液Ｓと処理液保持プレート１５の表面との間に気体の層が形成されることなく、その気体が各溝１５５を通って処理液保持プレート１５の外に逃げることができるようになる。このため、前記気体によって断熱されることなく、処理液Ｓを効率的に加熱することができるようになる。
【００４５】
前述した複数の溝１５５は、図１６に示すように格子状に配列されていたが、その配列の形態は、各溝１５５が処理液保持プレート１５の周側面１５６に抜けるものであれば、特に限定されず、例えば、放射状に配列されるものであってもよい。
【００４６】
処理液保持プレート１５の第４変形例が図１７に示される。
【００４７】
図１７において、前述した第３変形例（図１５及び図１６参照）と同様に、処理液保持プレート１５のウェーハ１００の表面に対向する面に、該面にて開口して当該処理液保持プレート１５の周側面１５６に抜ける複数の溝１５５が格子状に形成されている。更に、各溝１５５の底部に、溝幅より広い幅の円筒状通路１５５ａが形成されている。これによれば、加熱される処理液Ｓが蒸発して各溝１５５に導かれた気体をその円筒状通路１５５ａを通して確実に処理液保持プレート１５の外に逃がすことができるようになる。
【００４８】
処理液保持プレート１５の第５変形例が図１８に示される。
【００４９】
図１８において、前述した第４変形例（図１７参照）と同様に、処理液保持プレート１５のウェーハ１００の表面に対向する面に、該面にて開口して当該処理液保持プレート１５の周側面１５６に抜ける各溝１５５の底部に円筒状通路１５５ａが形成されている。更に、各溝１５５の処理液保持プレート１５の面での開口部が、溝幅より広い幅の半円筒状凹部１５５ｂとして形成されている。これによれば、ヒータ２０により加熱される処理液保持プレート１５のウェーハ１００の表面に対向する面に接する処理液Ｓが気化して気体が発生しても、その気体を半円筒状凹部１５５ｂによって集めて有効に各溝１５５内に導くことができるようになる。そして、そのように各溝１５５に導かれた気体を円筒状通路１５５ａを通して確実に処理液保持プレート１５の外に逃がすことができる。また、各溝１５５の開口部として形成される半円筒状凹部１５５ｂによって処理液保持プレート１５のウェーハ１００の表面に対向する面の表面積が大きくなるので、当該面に接する処理液Ｓをより効率的に加熱することができるようになる。
【００５０】
更に、処理液保持プレート１５の各溝１５５が開口する面（ウェーハ１００の表面に対向する面）には、複数の凹部１５７が形成されている。各凹部１５７は、球面状（ディンプル状）のものであっても、溝状のものであっても、更に、他の形状のものであってもよい。このように処理液保持プレート１５の各溝１５５が開口する面に複数の凹部１５７がされる場合、処理液保持プレート１５のウェーハ１００に対向する面の表面積が更に大きくなるので、処理液保持プレート１５の当該面に接する処理液Ｓを更に効率的に加熱することができるようになる。
【００５１】
次に、円形シート状のヒータ２０の変形例が図１９に示される。
【００５２】
図１９において、処理液保持プレート１５のウェーハ１００の表面に対向する面と逆側の面に貼り付けられた円形シート状のヒータ２０は、発熱量を個々的に制御可能な２つのヒータ片２０１、２０２にて構成される。円形状のヒータ片２０１の外側に円環状のヒータ片２０２が同心的に配置されている。このようなヒータ２０によれば、同心的に配置された２つのヒータ片２０１，２０２の発熱量を個々的に制御することで、部分的に温度の異なる処理液Ｓ、具体的には、同心状の部分毎に温度の異なる処理液Ｓにてウェーハ１００の表面を処理することができるようになる。例えば、ウェーハ１００の中心部分に多くのレジストが塗布されている場合、内側に位置する円状のヒータ片２０１の発熱量が外側の円環状のヒータ２０２の発熱量より多くなるように制御することにより、ウェーハ１００の表面に付着したレジストを有効に除去することができるようになる。
【００５３】
前述した本発明の各実施の形態に係る基板処理装置は、ウェーハ１００の表面のレジスト除去処理を行うものであったが、液晶基板等の他の板状基板を処理するものであってもよい。また、処理液保持プレート１５には処理液加熱機構としてシート状のヒータを設けたが、処理液保持プレート１５を加熱できればシート状に限られない。例えば、板状部材に棒状ヒータを埋め込んだものを用いても構わない。更に、処理対象としてウェーハを選択した場合、ヒータは円形が好ましいが、形状は処理対象に応じて適宜変更設定するものである。
【符号の説明】
【００５４】
１０  基板保持プレート（基板保持部）
１５  処理液保持プレート
２０  ヒータ（加熱部）
２０ａ  孔
３０  回転機構
４０  昇降機構
５０  処理液供給機構
５１ａ、５１ｂ、５１ｃ、５１ｄ  処理液槽
５２ａ、５２ｂ、５２ｃ、５２ｄ  バルブ
５３ａ、５３ｂ、５３ｃ、５３ｄ  流量計
５４ａ、５４ｂ、５４ｃ、５４ｄ  個別送通管
５５  処理液供給管
１００  半導体ウェーハ（板状基板）
１５１  プレート本体
１５２  壁部
１５３  流路
１５３ａ  開口
１５５  溝
１５５ａ  円筒状通路
１５５ｂ  半円筒状凹部
１５６  周側面
１５７  凹部
２０１、２０２  ヒータ片
【図１】
0005841431.tif 000002
【図２】
0005841431.tif 000003
【図３Ａ】
0005841431.tif 000004
【図３Ｂ】
0005841431.tif 000005
【図４】
0005841431.tif 000006
【図５】
0005841431.tif 000007
【図６】
0005841431.tif 000008
【図７】
0005841431.tif 000009
【図８】
0005841431.tif 000010
【図９】
0005841431.tif 000011
【図１０】
0005841431.tif 000012
【図１１】
0005841431.tif 000013
【図１２】
0005841431.tif 000014
【図１３】
0005841431.tif 000015
【図１４】
0005841431.tif 000016
【図１５】
0005841431.tif 000017
【図１６】
0005841431.tif 000018
【図１７】
0005841431.tif 000019
【図１８】
0005841431.tif 000020
【図１９】
0005841431.tif 000021